(57)【要約】【課題】従来の端末テスタは、接続先が固定であるため、別の場所に接続するのに、端末テスタを設定し直す必要があるという問題がある。【解決手段】携帯電話端末１は、接続ケーブルにより端末テスタ２に有線接続されている。さらに、端末テスタ２はＬＡＮケーブルによりＨＵＢ３に接続され、サーバ１，２（５，６）及び端末テスタ２のモニタ用ＰＣ４に接続されている。端末テスタ２の制御や操作はモニタ用ＰＣ４を介して行われる。さらに、端末テスタ側に複数の接続先を設定できるように複数の接続先テーブルと切替手段を備えたことで、試験途中に設定をし直す必要がなくなり、連続試験が可能となる。【選択図】図１
2005303627.tif 000002
【特許請求の範囲】
【請求項１】
無線通信端末の音声試験とパケット通信試験を行う端末テスタにおいて、
無線通信端末を外部のネットワーク又は複数のサーバに接続する接続手段と、
無線通信端末から受信したパケットからパケットメッセージを抽出する抽出手段と、
前記抽出手段からの情報により割付先を決定する割付手段と、
割付先の情報に基づき接続先を切換える切替手段と、
を備え、
前記パケットメッセージの内容によって割付けられた接続先が選択され、連続した試験を行う連続試験手段を有することを特徴とする端末テスタ。
【請求項２】
請求項１に記載の端末テスタにおいて、
前記割付手段は、割付けるサーバアドレスが２つ以上設定できることを特徴とする端末テスタ。
【請求項３】
請求項１又は２に記載の端末テスタにおいて、
前記割付手段は、割付ける無線通信端末アドレスが２つ以上設定できることを特徴とする端末テスタ。
【請求項４】
請求項１から３のいずれか１項に記載の端末テスタにおいて、
前記抽出手段により必要な情報を抽出し、
抽出した情報に基づいて前記割付手段によりアドレスを割付け、
パケットメッセージ内のアドレス情報をサーバアドレス又は無線通信端末アドレスに入替えて送信するアドレス入替手段を備えることを特徴とする端末テスタ。
【請求項５】
無線通信端末の音声試験とパケット通信試験を行う端末テスタの制御方法において、
無線通信端末を外部のネットワーク又は複数のサーバに接続する接続工程と、
無線通信端末から受信したパケットからパケットメッセージを抽出する抽出工程と、
前記抽出手段からの情報により割付先を決定する割付工程と、
割付先の情報に基づき接続先を切換える切替工程と、
を備え、
前記パケットメッセージの内容によって割付けられた接続先が選択され、連続した試験を行う連続試験工程を有することを特徴とする端末テスタの制御方法。
【請求項６】
請求項５に記載の端末テスタの制御方法において、
前記抽出工程により必要な情報を抽出し、
抽出した情報に基づいて前記割付工程によりアドレスを割付け、
パケットメッセージ内のアドレス情報をサーバアドレス又は無線通信端末アドレスに入替えて送信するアドレス入替工程を備えることを特徴とする端末テスタの制御方法。
【発明の詳細な説明】
【技術分野】
【０００１】
本発明は、音声通信及びパケット通信を試験する無線通信回線の携帯電話端末における端末テスタに関する。
【背景技術】
【０００２】
近年、携帯電話端末の性能が向上し、音声通話の他にメール、Ｗｅｂブラウザ、カメラ、ビデオ等の機能が強化されている。これに伴い、携帯電話端末の開発に必要とされる端末テスタの機能も変化し、パケット通信に関する試験機能の拡充が望まれていた。
【０００３】
しかし、従来の端末テスタは音声通信又はパケット通信の性能試験を行うため、受信したメッセージの内容に関係なく、携帯電話端末の接続処理を行い、接続される先は予め設定された値に固定されており、携帯電話端末のアドレスも固定的に決まっていた。
【０００４】
図５は、従来の端末テスタのテスト処理の流れを示すフローチャートであり、従来の処理について説明する。
（１）携帯電話端末がＲＲＣ  Ｃｏｎｎｅｃｔｉｏｎ  Ｒｅｑｕｅｓｔを発信するとＲＲＣ  Ｃｏｎｎｅｃｔｉｏｎ確立シーケンスが開始する。次に、ＲＲＣ  Ｃｏｎｎｅｃｔｉｏｎが確立すると、Ｓｅｒｖｉｃｅ  Ｒｅｑｕｅｓｔを携帯電話端末が送信してくる。さらに、Ｓｅｒｖｉｃｅ  Ｒｅｑｕｅｓｔを受信した端末テスタは認証、秘匿シーケンスを実施し、これらの処理が正常に終了し、正常終了を伝えると、携帯電話端末がＡｃｔｉｖａｔｅ  ＰＤＰ  Ｃｏｎｔｅｘｔ  Ｒｅｑｕｅｓｔを送信する（ステップＳ３１）。
（２）Ａｃｔｉｖａｔｅ  ＰＤＰ  Ｃｏｎｔｅｘｔ  Ｒｅｑｕｅｓｔを受信した端末テスタはＲａｄｉｏ  Ｂｅａｒｅｒ確立シーケンスを実行する。（ステップＳ３２）。
（３）Ｒａｄｉｏ  Ｂｅａｒｅｒが正常に確立すると端末テスタは、予め決められた値のＡｃｔｉｖａｔｅ  ＰＤＰ  Ｃｏｎｔｅｘｔ  Ａｃｃｅｐｔを送信する（ステップＳ３３）。
（４）次に、ＰＰＰシーケンスが起動される場合も予め決められた値でアドレスが固定となる。
【０００５】
また、特許文献１に示すようなパケット交換サービスを提供する移動通信の基地局において、移動局（携帯電話端末）を外部のパケットデータネットワークに接続する方法が開示されているが、主に基地局に関する技術である。
【０００６】
【特許文献１】特開２００２−３１９９８４号公報
【発明の開示】
【発明が解決しようとする課題】
【０００７】
上述したように、携帯電話端末への機能追加のため、開発において使用する端末テスタに対する要求が変化している。従来の端末テスタは、接続先が固定であるため、別の場所に接続するのに、端末テスタを設定し直す必要があるという問題がある。
【０００８】
また、端末側の設定を変えても接続先が変わらないため、動作の確認はメッセージ内容の確認のみしか行えないという問題もある。
【０００９】
さらに、携帯電話端末のアドレスが固定なので変更処理の確認及び、複数の端末が同一網へ接続できないという問題もある。
【課題を解決するための手段】
【００１０】
以上のような問題を解決するために、本発明に係る端末テスタは、無線通信端末の音声試験とパケット通信試験を行う端末テスタにおいて、無線通信端末を外部のネットワーク又は複数のサーバに接続する接続手段と、無線通信端末から受信したパケットからパケットメッセージを抽出する抽出手段と、前記抽出手段からの情報により割付先を決定する割付手段と、割付先の情報に基づき接続先を切換える切替手段と、を備え、前記パケットメッセージの内容によって割付けられた接続先が選択され、連続した試験を行う連続試験手段を有することを特徴とする。
【００１１】
また、本発明に係る端末テスタにおいて、前記割付手段は、割付けるサーバアドレスが２つ以上設定できることを特徴とする。
【００１２】
さらに、本発明に係る端末テスタにおいて、前記割付手段は、割付ける無線通信端末アドレスが２つ以上設定できることを特徴とする。
【００１３】
さらにまた、本発明に係る端末テスタにおいて、前記抽出手段により必要な情報を抽出し、抽出した情報に基づいて前記割付手段によりアドレスを割付け、パケットメッセージ内のアドレス情報をサーバアドレス又は無線通信端末アドレスに入替えて送信するアドレス入替手段を備えることを特徴とする。
【００１４】
本発明は、無線通信端末の音声試験とパケット通信試験を行う端末テスタの制御方法において、無線通信端末を外部のネットワーク又は複数のサーバに接続する接続工程と、無線通信端末から受信したパケットからパケットメッセージを抽出する抽出工程と、前記抽出手段からの情報により割付先を決定する割付工程と、割付先の情報に基づき接続先を切換える切替工程と、を備え、前記パケットメッセージの内容によって割付けられた接続先が選択され、連続した試験を行う連続試験工程を有することを特徴とする。
【００１５】
また、本発明に係る端末テスタの制御方法において、前記抽出工程により必要な情報を抽出し、抽出した情報に基づいて前記割付工程によりアドレスを割付け、パケットメッセージ内のアドレス情報をサーバアドレス又は無線通信端末アドレスに入替えて送信するアドレス入替工程を備えることを特徴とする。
【発明の効果】
【００１６】
本発明によれば、端末テスタ側に複数の接続先を設定できるようにしたことによって、試験途中で設定をし直す必要がなくなる。このため、設定ミスによる試験の失敗がなくなり、試験環境の変更による試験結果の不安定がなくなり、安定した結果を得ることができるという第１の効果がある。
【００１７】
また、携帯電話端末のメッセージ内容にあわせて設定内容が選択されるので、実動作に近い試験環境が得られるという第２の効果がある。
【００１８】
さらに、携帯電話端末のアドレス情報を端末テスタ毎にできるので同じ網内で多数の試験が可能となるという第３の効果がある。
【発明を実施するための最良の形態】
【００１９】
以下、本発明の実施の形態（以下実施形態という）を、図面に従って説明する。
【００２０】
図１は、本発明の実施形態における端末テスタを用いたテスト系統を示す系統図である。携帯電話端末１は、接続ケーブルにより端末テスタ２に有線接続されている。さらに、端末テスタ２はＬＡＮケーブルによりＨＵＢ３に接続され、サーバ１，２（５，６）及び端末テスタ２のモニタ用ＰＣ４に接続されている。端末テスタ２の制御や操作はモニタ用ＰＣ４を介して行われる。
【００２１】
図２は、本発明の実施形態における端末テスタの機能概要を示すブロック図である。携帯電話端末１と端末テスタ２の呼制御１１は無線通信プロトコルで通信を行う。また、呼制御１１は、サーバ１からサーバ３とＬＡＮ接続されており、さらにインターネットに接続されている。呼制御１１は、複数の接続先と接続する為にＴａｂｌｅ１からＴａｂｌｅ３の接続先情報のテーブルを呼制御のメモリに記憶している。
【００２２】
図３は、本発明の実施形態における端末テスタのテスト処理の流れを示すフローチャートである。また、図４は、本発明の実施形態における端末テスタの処理シーケンスを示すシーケンス図である。以下、図３と図４を用いて処理の流れを説明する。
【００２３】
図４において、携帯電話端末がＲＲＣ  Ｃｏｎｎｅｃｔｉｏｎ  Ｒｅｑｕｅｓｔを発信するとＲＲＣ  Ｃｏｎｎｅｃｔｉｏｎ確立シーケンスが開始する（ステップＳ２１）。ＲＲＣ  Ｃｏｎｎｅｃｔｉｏｎが確立すると、Ｓｅｒｖｉｃｅ  Ｒｅｑｕｅｓｔを携帯電話端末が送信する。（ステップＳ２２）。さらに、Ｓｅｒｖｉｃｅ  Ｒｅｑｕｅｓｔを受信した端末テスタは認証、秘匿シーケンスを実施し（ステップＳ２３）、これらの処理が正常に終了し、正常終了を伝えると、携帯電話端末がＡｃｔｉｖａｔｅ  ＰＤＰ  Ｃｏｎｔｅｘｔ  Ｒｅｑｕｅｓｔを送信する（ステップＳ２４）。
【００２４】
図３において、ＲＲＣ  Ｃｏｎｎｅｃｔｉｏｎ  Ｒｅｑｕｅｓｔを受信した端末テスタは（ステップＳ１１）、送信されたデータからメッセージを探すためにデータの解析を行う（ステップＳ１２）。抽出したメッセージからＡｃｃｅｓｓ  Ｐｏｉｎｔ  Ｎａｍｅ（ＡＰＮ）例えば、“ＪＲＣ．ｃｏ．ｊｐ”のＡＰＮを取り出す（ステップＳ１３）。
【００２５】
端末テスタは、Ｒａｄｉｏ  Ｂｅａｒｅｒ確立シーケンスを実行する（ステップＳ１４，ステップＳ２５）。ＡＰＮとＴａｂｌｅ内のデータを比較して設定すべきサーバアドレス情報を得る。例えば、ＡＰＮが“ＪＲＣ．ｃｏ．ｊｐ”であれば、ＪＲＣのサーバアドレスと判断して“ａａ．ａａ．ａａ．ａａ”が選択される（ステップＳ１５）。
【００２６】
端末テスタは、サーバアドレス情報を元にして送信メッセージを作成し、携帯電話端末に送信する（ステップＳ１６）。Ｒａｄｉｏ  Ｂｅａｒｅｒが正常に確立すると端末テスタは、予め決められた値のＡｃｔｉｖａｔｅ  ＰＤＰ  Ｃｏｎｔｅｘｔ  Ａｃｃｅｐｔを送信する（ステップＳ２６）。この時選択されたサーバアドレス情報を基に通信用の機能部を作り通信を開始し、ＰＰＰシーケンスが起動される。（ステップＳ１７，ステップＳ２７）。以後、この処理を繰り返し、携帯電話端末を操作して参照先を選択することで、端末テスタは好適に処理を継続し、自動計測を行う。
【００２７】
次に、端末テスタの試験項目概要を示す。端末テスタは、（１）位置登録、（２）音声通話試験、（３）Ｐａｃｋｅｔ試験、（４）ショート・メッセージ・サービス（ＳＭＳ）試験、（５）マルチコール試験、特に音声とＰａｃｋｅｔ試験（同時に両方をサービス）の試験が可能となり、通信記録や通信状況のモニタも可能であるので、携帯電話端末の開発において有用な試験装置である。
【００２８】
以上のような本発明に係る実施形態によると、端末テスタ側に複数の接続先を設定できることで試験途中に設定をし直す必要がなくなり、連続試験が可能となる。そのため、設定ミスによる試験の失敗がなくなり、試験環境の変更による試験結果の不安定がなくなるという効果がある。さらに、これらの試験を行う場合、基地局を模擬する装置が必要となるが、非常に高価なため一般的ではない。しかし、本発明における実施形態に示した端末テスタを使用することで、開発コストの削減が可能となる。
【００２９】
また、携帯電話端末側のメッセージ内容に合わせて設定内容が選択されるので、実動作に近い試験環境が得られ、さらに、端末のアドレス情報を端末テスタ毎に準備できるので同じ網内で多数の試験が可能になり、携帯電話端末の品質の向上が期待できる。
【００３０】
なお、本実施形態において携帯電話端末及び端末テスタのプロトコルは、ＷＣＤＭＡ、ＣＤＭＡ２０００及びＧＳＭ等を示し、その他のプロトコルであっても良い。
【図面の簡単な説明】
【００３１】
【図１】本発明の実施形態における端末テスタを用いたテスト系統を示す系統図である。
【図２】本発明の実施形態における端末テスタの機能概要を示すブロック図である。
【図３】本発明の実施形態における端末テスタのテスト処理の流れを示すフローチャートである。
【図４】本発明の実施形態における端末テスタの処理シーケンスを示すシーケンス図である。
【図５】従来の端末テスタのテスト処理の流れを示すフローチャートである。
【符号の説明】
【００３２】
１  携帯電話端末、２  端末テスタ、３  ＨＵＢ、５，６  サーバ（１〜２）、４  モニタ用ＰＣ、１１  呼制御、１２，１３，３４  Ｔａｂｌｅ、２１，２２，２３  サーバ（１〜３）。
【図１】
2005303627.tif 000003
【図２】
2005303627.tif 000004
【図３】
2005303627.tif 000005
【図４】
2005303627.tif 000006
【図５】
2005303627.tif 000007